(57)【特許請求の範囲】
【請求項１】
多気筒内燃機関における複数の気筒のうちの一部を休止させる減筒運転を行うように内燃機関を制御する機関制御装置であって、各気筒はピストン、吸気バルブ及び排気バルブを有しており、
前記減筒運転時の休止気筒において、ピストンが下動する際に吸気バルブ及び排気バルブの双方を開く一方、前記ピストンが上動する際に前記吸気バルブを開き且つ前記排気バルブを閉じる機関制御装置。
【請求項２】
前記減筒運転時の休止気筒において、前記ピストンが下動する際に前記吸気バルブ及び前記排気バルブの双方の開放動作及びそれに続く閉鎖動作を行う一方、前記ピストンが上動する際に前記吸気バルブのみの開放動作及びそれに続く閉鎖動作を行う
請求項１に記載の機関制御装置。
【請求項３】
前記減筒運転時の休止気筒において、前記ピストンが下動する際に、前記吸気バルブの開放動作及びそれに続く閉鎖動作に遅れて前記排気バルブの開放動作及びそれに続く閉鎖動作を行う
請求項２に記載の機関制御装置。
【請求項４】
前記減筒運転時の休止気筒において、前記ピストンが下動する際の前記吸気バルブの開き量と、前記ピストンが下動する際の前記排気バルブの開き量とを変更可能なように構成される
請求項１〜３の何れか一項に記載の機関制御装置。
【請求項５】
前記減筒運転時の休止気筒において、
前記ピストンが下動する際に、前記吸気バルブ及び前記排気バルブの双方を開くことによって、新気と排気とが混合された気筒内混合吸気を生成し、
それに続いて前記ピストンが上動する際に、前記吸気バルブ及び前記排気バルブの双方を閉じることによって前記気筒内混合吸気を圧縮し、
それに続いて前記ピストンが下動する際に、前記吸気バルブ及び前記排気バルブの双方を引き続き閉じることによって前記気筒内混合吸気を膨張させ、
それに続いて前記ピストンが上動する際に、前記吸気バルブを開き且つ前記排気バルブを引き続き閉じる
請求項１〜４のいずれか一項に記載の機関制御装置。
【請求項６】
多気筒内燃機関における複数の気筒のうちの一部を休止させる減筒運転を行うように内燃機関を制御する機関制御方法であって、各気筒はピストン、吸気バルブ及び排気バルブを有しており、
前記減筒運転時の休止気筒において、ピストンが下動する際に吸気バルブ及び排気バルブの双方を開いて、新気と排気とが混合された気筒内混合吸気を生成する工程と、
前記減筒運転時の休止気筒において、前記ピストンが上動する際に前記吸気バルブを開き且つ前記排気バルブを閉じて、前記気筒内混合吸気を吸気ポートを通じて休止気筒から排出する工程と、
を備える機関制御方法。
【発明の詳細な説明】
【技術分野】
【０００１】
本発明は、内燃機関の制御装置、特に減筒運転時の休止気筒における吸気バルブの開閉と排気バルブの開閉とを制御する制御装置に関する。
【背景技術】
【０００２】
従来、複数の気筒を備えた内燃機関においては、全気筒において燃焼を行う全筒運転と、一部の気筒においてのみ燃焼を行う減筒運転とを行うものがある。そして、内燃機関は、燃焼を停止した休止気筒において、吸気行程で吸気バルブを閉弁するとともに排気バルブを開弁し、排気行程で吸気バルブを開弁するとともに排気バルブを閉弁することで、排気マニホールドから吸気マニホールドへ排気を供給することが提案されている（例えば、特許文献１参照）。
【先行技術文献】
【特許文献】
【０００３】
【特許文献１】特開２００６−１４４６３４号公報
【発明の概要】
【発明が解決しようとする課題】
【０００４】
ところで、このような内燃機関では、燃焼気筒の排気が休止気筒に供給されるため、燃焼直後における高温の排気が休止気筒内に取り込まれる。その結果、燃料が燃焼されていないにもかかわらず、休止気筒内において潤滑油の蒸発が進むおそれがある。そこで、潤滑油の蒸発を抑制しながら、排気を吸気側へ再循環させる内燃機関の制御装置が求められている。
【０００５】
本発明は、こうした実情に鑑みてなされたものであり、その目的は、潤滑油の蒸発を抑制しながら、排気を吸気側へ再循環させる内燃機関の制御装置を提供することにある。
【課題を解決するための手段】
【０００６】
以下、上記目的を達成するための手段及びその作用効果について説明する。
本発明は、多気筒内燃機関における複数の気筒のうちの一部を休止させる減筒運転を行うように内燃機関を制御する機関制御装置であって、各気筒はピストン、吸気バルブ及び排気バルブを有しており、前記減筒運転時の休止気筒において、ピストンが下動する際に吸気バルブ及び排気バルブの双方を開く一方、前記ピストンが上動する際に前記吸気バルブを開き且つ前記排気バルブを閉じることをその要旨としている。
【０００７】
同構成によれば、減筒運転時の休止気筒においてピストンが下動する際に、吸気バルブ及び排気バルブの双方が開かれるので、休止気筒内には、排気だけでなく新気も取り込まれる。そして、燃焼直後の高温の排気と、新気とが休止気筒に導入されるため、燃焼直後の高温の排気のみが休止気筒内に導入されることがない。よって、燃焼直後の高温の排気のみが休止気筒に導入される場合と比べて、休止気筒内に取り込まれた気体の温度が下げられ、休止気筒内の潤滑油の蒸発を抑制できるとともに、休止気筒を介して吸気側に排気を再循環させることが可能となる。
【０００８】
本発明は、機関制御装置が、前記減筒運転時の休止気筒において、前記ピストンが下動する際の前記吸気バルブの開き量と、前記ピストンが下動する際の前記排気バルブの開き量とを変更可能なように構成されることをその要旨としている。
【０００９】
同構成によれば、吸気バルブの開き量と排気バルブの開き量とが変更されることで、休止気筒内における排気の割合が変更される。このため、燃焼している気筒に吸気される混合吸気における排気の割合を変更することが可能である。
【００１０】
本発明は、前記減筒運転時の休止気筒において、前記ピストンが下動する際に、前記吸気バルブの開放動作及びそれに続く閉鎖動作に遅れて前記排気バルブの開放動作及びそれに続く閉鎖動作を行うことをその要旨としている。
同構成によれば、休止気筒内に新気が吸気された後に、該休止気筒内に排気が吸気されるので、休止気筒内に温度の低い新気がある状態で排気が加えられることとなる。このため、休止気筒内に排気がある状態で新気が加えられる場合と比べて、休止気筒内における気体の温度が高くなることを更に抑制することが可能となる。
【００１１】
本発明は、前記減筒運転時の休止気筒において、前記ピストンが下動する際に、前記吸気バルブ及び前記排気バルブの双方を開くことによって、新気と排気とが混合された気筒内混合吸気を生成し、それに続いて前記ピストンが上動する際に、前記吸気バルブ及び前記排気バルブの双方を閉じることによって前記気筒内混合吸気を圧縮し、それに続いて前記ピストンが下動する際に、前記吸気バルブ及び前記排気バルブの双方を引き続き閉じることによって前記気筒内混合吸気を膨張させ、それに続いて前記ピストンが上動する際に、前記吸気バルブを開き且つ前記排気バルブを引き続き閉じることをその要旨としている。
【００１２】
同構成によれば、休止気筒内に吸気された新気と排気とからなる気筒内混合吸気を圧縮して膨張させた後に吸気側へ排出するので、新気と排気とが十分に撹拌された状態で吸気通路に供給することが可能となる。
【発明の効果】
【００１３】
本発明によれば、潤滑油の蒸発を抑制しながら、排気を吸気側へ再循環させることができる。
【図面の簡単な説明】
【００１４】
【図１】ピストン下動時のバルブ状態及び内燃機関の概略構成を示すブロック図。
【図２】ピストン下動時のバルブ状態及び内燃機関の概略構成を示すブロック図。
【図３】ピストン上動時のバルブ状態及び内燃機関の概略構成を示すブロック図。
【図４】通常運転時及び燃焼停止運転時のバルブタイミングを示す図。
【図５】減筒運転時の内燃機関の吸気及び排気の流れを示す図。
【図６】通常運転時及び減筒運転時の各気筒の動作行程を示す図。
【図７】通常運転時及び燃焼停止運転時のバルブタイミングを示す図。
【図８】減筒運転時の内燃機関の吸気及び排気の流れを示す図。
【図９】通常運転時及び減筒運転時の各気筒の動作行程を示す図。
【発明を実施するための形態】
【００１５】
（第１の実施形態）
以下、本発明をディーゼルエンジンの制御装置に具体化した第１の実施形態について図１〜図６を参照して説明する。なお、本実施形態におけるディーゼルエンジンは、直列４気筒のディーゼルエンジンであって、図１〜図３では、ディーゼルエンジンにおける４つの気筒のうち１つの気筒における駆動の態様を例示する。
【００１６】
図１に示されるように、気筒としてのシリンダ１が形成されたシリンダブロック２には、シリンダヘッド３が搭載されている。該シリンダヘッド３には、シリンダ１に連通する吸気通路４と排気通路５とが形成されている。シリンダ１内には、ピストン６がクランク７によって往復動可能に収容され、これらピストン６とシリンダヘッド３とによって燃焼室８が区画されている。
【００１７】
吸気通路４を構成する吸気ポート４ａには、２つの吸気バルブ１１が取り付けられている。また、排気通路５を構成する排気ポート５ａには、２つの排気バルブ１２が取り付けられている。吸気バルブ１１は、該吸気バルブ１１を駆動する吸気バルブ駆動装置１３に連結されている。また、排気バルブ１２は、該排気バルブ１２を駆動する排気バルブ駆動装置１４に連結されている。なお、吸気バルブ駆動装置１３が吸気バルブ１１を駆動しない状態では、図示しないクランクシャフトに連動して回動する吸気カムによって、吸気バルブ１１は駆動される。また、排気バルブ駆動装置１４が排気バルブ１２を駆動しない状態では、図示しないクランクシャフトに連動して回動する排気カムによって排気バルブ１２は駆動される。
【００１８】
シリンダヘッド３には、燃焼室８内に燃料を噴射するインジェクタ９が取り付けられている。吸気ポート４ａには、該吸気ポート４ａと他の吸気ポート４ａとを連通する吸気マニホールド４ｂが接続されている。また、排気ポート５ａには、該排気ポート５ａと他の排気ポート５ａとを連通する排気マニホールド５ｂが接続されている。
【００１９】
ディーゼルエンジンに対する各種制御を行う制御装置としてのＥＣＵ（Ｅｎｇｉｎｅ  Ｃｏｎｔｒｏｌ  Ｕｎｉｔ）１０は、これらインジェクタ９、吸気バルブ駆動装置１３、及び排気バルブ駆動装置１４に接続されている。そして、全ての気筒で燃料が燃焼される全筒運転にて、ＥＣＵ１０は、吸気バルブ１１と排気バルブ１２とが上記各カムによって駆動されるように、吸気バルブ駆動装置１３及び排気バルブ駆動装置１４による駆動を解除する。これに対し、一部の気筒のみで燃料が燃焼される減筒運転にて、ＥＣＵ１０は、例えば２つのシリンダ１において燃料の噴射を停止する。そして、ＥＣＵ１０は、燃焼が行われていない２つの休止気筒を通じて、排気マニホールド５ｂから吸気マニホールド４ｂへ排気を導入し、該排気と吸入空気とを混合する、いわゆる排気再循環（ＥＧＲ：Ｅｘｈａｕｓｔ  Ｇａｓ  Ｒｅｃｉｒｃｕｌａｔｉｏｎ）を行う。このとき、ＥＣＵ１０は、各カムが吸気バルブ１１と排気バルブ１２とを駆動しない位置に各カムをずらし、吸気バルブ駆動装置１３及び排気バルブ駆動装置１４によって吸気バルブ１１と排気バルブ１２とを駆動する。
【００２０】
次に、減筒運転時の休止気筒に対して上記ＥＣＵ１０が行うバルブの制御について説明する。
図１に示されるように、ピストン６が上死点（ＴＤＣ：Ｔｏｐ  Ｄｅａｄ  Ｃｅｎｔｅｒ）付近から下動し始めると、ＥＣＵ１０は、吸気バルブ１１を開く。続いて、図２に示されるように、ピストン６が下動している途中で、ＥＣＵ１０は、吸気バルブ１１を閉じるとともに排気バルブ１２を開く。次いで、ピストン６が下死点（ＢＤＣ：Ｂｏｔｔｏｍ  Ｄｅａｄ  Ｃｅｎｔｅｒ）付近になると、ＥＣＵ１０は、排気バルブ１２を閉じる。そして、図３に示されるように、ピストン６が下死点（ＢＤＣ）付近から上動し始めると、ＥＣＵ１０は、吸気バルブ１１を開き、その後、ピストン６が上死点（ＴＤＣ）付近まで上動すると、ＥＣＵ１０は、吸気バルブ１１を閉じる。
【００２１】
次に、上述したＥＣＵ１０によるバルブ制御の態様を各バルブの開き量とクランクアングルとの関係を用いて詳細に説明する。
［通常運転］
まず、全筒運転において通常運転下にある気筒に関し、該気筒におけるバルブ制御の態様を、第１気筒を一例として、それの吸気行程、圧縮行程、膨脹行程、排気行程の順に説明する。なお、これら吸気行程、圧縮行程、膨脹行程、及び排気行程とは、通常運転下の気筒がクランクアングルに応じて行う行程であり、以下、説明の便宜上、燃焼停止運転下の気筒に対しても、同クランクアングルに対応付けられた行程として用いる。
【００２２】
図４の上側に示されるように、クランクアングルが略３６０〜略５４０ｄｅｇである吸気行程にて、ＥＣＵ１０は、通常運転下の気筒に対し、吸気バルブ１１を開き、該気筒の燃焼室８内に燃料が噴射された新気を吸入する。そして、クランクアングルが略５４０〜７２０ｄｅｇである圧縮行程にて、ＥＣＵ１０は、吸気バルブ１１及び排気バルブ１２を閉じ続ける。これにより、燃焼室８内の気体が、それの圧縮により撹拌される。
【００２３】
次いで、クランクアングルが０〜略１８０ｄｅｇである膨張行程にて、ＥＣＵ１０は、ここでも吸気バルブ１１及び排気バルブ１２を閉じ続ける。これにより、燃焼室８内の気体は、ピストン６の下動によって膨張する。そして、クランクアングルが略１８０〜略３６０ｄｅｇである排気行程にて、ＥＣＵ１０は、排気バルブ１２を開いて燃焼室８内から気体を排出する。
【００２４】
［燃焼停止運転］
次に、減筒運転において燃焼停止運転下にある休止気筒に関し、該休止気筒におけるバルブ制御の態様を、第１気筒を一例として、それの吸気行程、圧縮行程、膨脹行程、排気行程の順に説明する。
【００２５】
図４の下側に示されるように、クランクアングルが略３６０〜略５４０ｄｅｇであるとき、ＥＣＵ１０は、燃焼停止運転下の休止気筒に対し、まず、通常運転下の吸気行程における吸気バルブ１１の開き量よりも少ない開き量で吸気バルブ１１を開く。次いで、ＥＣＵ１０は、吸気バルブ１１を閉じ、その後、これもまた通常運転下の排気行程における排気バルブの開き量よりも少ない開き量で排気バルブ１２を開いて閉じる。これによって、休止気筒における吸気行程では、まず、吸気通路４から燃焼室８内に新気が吸気され、その後、排気通路５から燃焼室８内に排気が吸入される。
【００２６】
この際、ＥＣＵ１０は、吸気バルブ１１の開き量と排気バルブ１２の開き量とを休止気筒の吸気行程で調整することにより、燃焼気筒への吸気に占められる排気の割合を調整することができる。具体的には、ＥＣＵ１０は、燃焼気筒への吸気に占められる排気の割合を高める場合、燃焼気筒の燃焼状態に応じて、休止気筒の吸気行程では、吸気バルブ１１の開き量よりも排気バルブ１２の開き量を大きくする。なお、開き量は、リフト量と開き時間とによって決まる値であって、リフト量を時間で積分した値として定められる。
【００２７】
続いて、クランクアングルが略５４０〜７２０ｄｅｇである間、ＥＣＵ１０は、通常運転下の圧縮行程と同じく、吸気バルブ１１及び排気バルブ１２を閉じ続ける。これによって、先の吸気行程において燃焼室８内に供給された新気と排気とが圧縮によって混合される。なお、新気と排気とがシリンダ１内で混合された気体を気筒内混合吸気と呼ぶ。
【００２８】
次いで、クランクアングルが０〜略１８０ｄｅｇである間、ＥＣＵ１０は、通常運転下の膨張行程と同じく、吸気バルブ１１及び排気バルブ１２を閉じ続ける。これによって、新気と排気とが混合された燃焼室８内の気筒内混合吸気が、それの膨張により撹拌される。
【００２９】
そして、クランクアングルが略１８０〜略３６０ｄｅｇであるとき、ＥＣＵ１０は、通常運転下の排気行程における排気バルブ１２の開き量と略等しい開き量で吸気バルブ１１を開いて閉じる。これによって、新気と排気とが混合された燃焼室８内の気筒内混合吸気が、燃焼室８内から吸気通路４に排出される。
【００３０】
なお、こうした一連の行程では、吸気通路４の圧力よりも排気通路５の圧力の方が高くなる。そのため、排気通路５から排気が吸入される際、また、吸気通路４に気筒内混合吸気が排出される際に、吸気と排気との圧力差分の仕事を上述した気体がピストン６に対してすることになり、燃費が改善されることとなる。
【００３１】
次に、上述した減筒運転において通常運転下にある気筒に関し、該気筒における燃焼の状態について図５及び図６を参照して説明する。なお、図５では、破線の円で記載される４つの気筒を、上方に記載された気筒から順に、第１シリンダ、第２シリンダ、第３シリンダ、第４シリンダとするとともに、この順に１，２，３，４の番号を付す。そして、以下では、これら４つの気筒のうち、第１シリンダと第４シリンダとが休止気筒であるものとする。また、図６は、４つのシリンダの各々における行程の内容をクランクアングルごとに記載した図である。
【００３２】
上述した減筒運転時において、吸気通路４に供給された気筒内混合吸気は、吸気マニホールド４ｂを介して休止気筒から燃焼運転している燃焼気筒へ供給される。すなわち、第１シリンダが排気行程である際に、吸気行程である第２シリンダに気筒内混合吸気が新気とともに吸入され、排気を含む混合吸気が供給される。また、第４シリンダが排気行程である際に、吸気行程である第３シリンダに気筒内混合吸気が新気とともに吸入され、排気を含む混合吸気が供給される。これにより、燃焼運転している燃焼気筒に新気のみが供給されるときよりも、該燃焼気筒内における酸素濃度が下げられるため、ＮＯｘが発生することを抑制できるとともに、燃費を向上することができる。
【００３３】
なお、上述したように、減筒運転時の休止気筒では、吸気行程において吸気バルブ１１を開いた後に排気バルブ１２を開くことで排気と新気とが混合された気筒内混合吸気が生成される。そして、圧縮行程及び膨張行程を経ることで新気と排気とが撹拌され、このようにして攪拌された気筒内混合吸気が排気行程にて吸気通路４に供給される。このため、攪拌されることのない気筒内混合吸気が吸気通路４に供給される場合と比べて、通常運転下にある燃焼気筒に新気と排気とが良く混ざり合った混合吸気を供給することができる。また、休止気筒内に取り込まれた気体の温度が下げられることで、シリンダ１内の潤滑油の蒸発が抑制されるとともに、燃焼効率を向上することができる。
【００３４】
以上、説明した実施形態によれば、以下の効果を奏することができる。
（１）減筒運転時に休止気筒のピストン６が下動した際に、吸気バルブ１１と排気バルブ１２とを開弁するため、休止気筒の燃焼室８内に排気だけでなく新気も取り込まれる。そして、燃焼直後の高温の排気と、新気とが休止気筒の燃焼室８内に導入されるため、燃焼直後の高温の排気のみが休止気筒の燃焼室８内に導入されることがない。よって、燃焼直後の高温の排気のみが休止気筒の燃焼室８内に導入される場合と比べて、休止気筒の燃焼室８内に取り込まれた気体の温度が下げられ、休止気筒の燃焼室８内の潤滑油の蒸発を抑制できるとともに、休止気筒を介して吸気側に排気を再循環させることができる。
【００３５】
（２）吸気バルブ１１の開き量と排気バルブ１２の開き量とが変更されることで、休止気筒内における排気の割合が変更される。このため、燃焼している気筒に吸気される混合吸気における排気の割合を変更することができる。
【００３６】
（３）休止気筒の燃焼室８内に新気が吸気された後に、該休止気筒の燃焼室８内に排気が吸気されるので、休止気筒の燃焼室８内に温度の低い新気がある状態で排気が加えられることとなる。このため、休止気筒の燃焼室８内における気体の温度が高くなることを更に抑制することができる。
【００３７】
（４）休止気筒内に吸気された新気と排気とからなる気筒内混合吸気を圧縮して膨張させた後に吸気側へ排出するので、新気と排気とが十分に撹拌された状態で吸気マニホールド４ｂに供給することができる。
【００３８】
（第２の実施形態）
以下、本発明をディーゼルエンジンの制御装置に具体化した第２の実施形態について、図７〜図９を参照して説明する。第２の実施形態におけるＥＣＵ１０は、休止気筒の膨張行程においても該休止気筒で吸気を行ない、休止気筒の圧縮行程においても該休止気筒で排気を行う点が上記第１の実施形態と異なっている。以下、第１の実施形態との相違点を中心に説明する。なお、第２の実施形態のディーゼルエンジンは、第１の実施形態のディーゼルエンジンと同様の構成を備えている。
【００３９】
図７の下側に示されるように、クランクアングルが吸気行程にあるとき、ＥＣＵ１０は、まず、通常運転下の吸気行程における吸気バルブ１１の開き量よりも少ない開き量で吸気バルブ１１を開いて閉じる。その後、ＥＣＵ１０は、通常運転下の排気バルブ１２の開き量よりも少ない開き量で排気バルブを開いて閉じる。これによって、休止気筒が吸気行程を行うとき、該休止気筒の燃焼室８内に新気が吸気された後に、該燃焼室８内に排気が吸入され、新気と排気とが混合された気筒内混合吸気が休止気筒内に生成される。
【００４０】
続いて、クランクアングルが圧縮行程にあるとき、ＥＣＵ１０は、通常運転下の圧縮行程における吸気バルブ１１の開き量と等しい開き量で吸気バルブ１１を開いて閉じる。これによって、新気と排気とが混合された気筒内混合吸気が燃焼室８内から吸気通路４に排出される。つまり、先に説明した第１の実施形態における圧縮行程のように気筒内混合吸気が休止気筒で圧縮されるのではなく、燃焼室８内の気筒内混合吸気が吸気通路４に排出される。
【００４１】
続いて、クランクアングルが膨脹行程にあるとき、ＥＣＵ１０は、通常運転下の吸気バルブ１１の開き量よりも少ない開き量で吸気バルブ１１を開いて閉じる。その後、ＥＣＵ１０は、通常運転下の排気バルブ１２の開き量よりも少ない開き量で排気バルブを開いて閉じる。これによって、吸気通路４から燃焼室８内に新気が吸気された後に、排気通路５から燃焼室８内に排気が吸入され、新気と排気とが混合された気筒内混合吸気が休止気筒内に生成される。つまり、吸気行程と同様に、排気と新気とが燃焼室８内に再度吸入され、気筒内混合吸気が生成される。
【００４２】
そして、クランクアングルが排気行程にあるとき、ＥＣＵ１０は、通常運転下の吸気バルブ１１の開き量と略等しい開き量で吸気バルブ１１を開いて閉じる。これによって、気筒内混合吸気が燃焼室８内から吸気通路４に排出される。
【００４３】
こうした一連の行程によれば、吸気通路４の圧力と排気通路５の圧力との圧力差による仕事が第１の実施形態よりも２倍行われることとなり、燃費を更に向上させることができる。
【００４４】
次に、上述した減筒運転において通常運転下にある気筒に関し、該気筒における燃焼の状態について図８及び図９を参照して説明する。なお、図８及び図９は、第１の実施形態で説明した図５及び図６に対応する図である。
【００４５】
上述した減筒運転時において、吸気通路４に供給された気筒内混合吸気は、吸気マニホールド４ｂを介して休止気筒から燃焼運転している燃焼気筒へ供給される。すなわち、第１シリンダ及び第４シリンダが排気行程である際に、吸気行程である第２シリンダ又は第３シリンダに気筒内混合吸気が新気とともに吸入され、排気を含む混合吸気が供給される。本実施形態では、通常運転下にある休止気筒の圧縮行程においても気筒内混合吸気を吸気通路４に排出するので、通常運転において、１回燃焼する間に気筒内混合吸気を吸気通路４に２回供給することができる。これにより、新気のみを供給したときよりも酸素濃度を下げて燃焼を抑制し、ＮＯｘの発生を抑制できるとともに、燃費を向上できる。また、２個の休止気筒が同時に排気を吸入して排出するので、各気筒が高温の排気を大量に吸入しなくても済む。
【００４６】
なお、上述したように、減筒運転時の休止気筒では、吸気行程と膨張行程とにおいて新気と排気とが混合された気筒内混合吸気が生成され、排気行程と圧縮行程とにおいて気筒内混合吸気が吸気通路４に排出される。このため、同時に２個の休止気筒が排気を吸入するので、１個の休止気筒が吸入する排気の量を第１の実施形態よりも少なくすることができる。よって、休止気筒内に取り込まれた気体の温度を下げられ、シリンダ１内の潤滑油の蒸発を抑制できるとともに、休止気筒を介して吸気側に排気を再循環させることができる。
【００４７】
以上、説明した実施形態によれば、第１の実施形態の（１）〜（３）の効果に加え、以下の効果を奏することができる。
（５）減筒運転時の休止気筒では、吸気行程と膨張行程とにおいて気筒内混合吸気が生成され、排気行程と圧縮行程とにおいて気筒内混合吸気が吸気通路４に排出される。このため、１個の休止気筒が吸入する排気の量を第１の実施形態よりも少なくすることができる。よって、休止気筒内に取り込まれた気体の温度を下げられ、シリンダ１内の潤滑油の蒸発を更に抑制できる。
【００４８】
なお、上記実施形態は、これを適宜変更した以下の形態にて実施することができる。
・上記実施形態では、通常運転時における各バルブの駆動をカムによって行い、減筒運転時には各バルブ１１，１２を吸気バルブ駆動装置１３と排気バルブ駆動装置１４とによって行うようにしたが、通常運転時においても各バルブ１１，１２を吸気バルブ駆動装置１３と排気バルブ駆動装置１４とによって行うようにしてもよい。
【００４９】
・上記実施形態において、エンジンの燃焼状態に応じて、休止気筒における吸気行程での吸気バルブ１１の開き量と排気バルブ１２の開き量とを調整して、燃焼気筒へ吸気に占める排気の供給量を調整してもよい。
【００５０】
・上記実施形態では、４気筒のエンジンを内燃機関の一例として説明したが、内燃機関は５気筒以上のエンジンであってもよい。例えば、６気筒のエンジンでは、シリンダ間における排気と吸入とのタイミングがクランクアングルで６０ｄｅｇずれているので、休止気筒において生成された気筒内混合吸気を吸気マニホールドに排出した後に燃焼気筒が吸い込むこととなり、更に燃焼気筒に供給することができる。
【００５１】
・上記実施形態では、ディーゼルエンジンを内燃機関の一例として説明したが、内燃機関はガソリンエンジンであってもよい。このようにすれば、ガソリンエンジンにおいても、同様の効果を得ることができる。
【００５２】
・上記実施形態において、ＥＣＵ１０が行うバルブの制御態様は、休止気筒の吸気行程あるいは膨脹行程において、排気バルブ１２の開き量及び吸気バルブ１１の開き量の少なくとも一方が一定であってもよい。
【００５３】
・上記実施形態において、ＥＣＵ１０が行うバルブの制御態様は、休止気筒の吸気行程あるいは膨脹行程において、排気バルブ１２が開弁した後に吸気バルブ１１が開弁する態様であってもよい。
【００５４】
・上記実施形態において、休止気筒の吸気行程あるいは膨脹行程において、吸気バルブ１１が閉弁する前に排気バルブ１２が開弁する態様であってもよく、吸気バルブ１１が閉弁するときに吸気バルブ１１が開弁する態様であってもよい。要は、休止気筒のピストンが下動する際に、休止気筒の吸気バルブ１１の開弁と、休止気筒の排気バルブ１２の開弁とを行い、休止気筒のピストンが上動する際に、吸気バルブ１１の開弁のみを行う態様であればよい。
【符号の説明】
【００５５】
１…気筒としてのシリンダ、２…シリンダブロック、３…シリンダヘッド、４…吸気通路、４ａ…吸気ポート、４ｂ…吸気マニホールド、５…排気通路、５ａ…排気ポート、５ｂ…排気マニホールド、６…ピストン、７…クランク、８…燃焼室、９…インジェクタ、１０…制御装置としてのＥＣＵ、１１…吸気バルブ、１２…排気バルブ、１３…吸気バルブ駆動装置、１４…排気バルブ駆動装置。
【図１】
0005351233.tif 000002
【図２】
0005351233.tif 000003
【図３】
0005351233.tif 000004
【図４】
0005351233.tif 000005
【図５】
0005351233.tif 000006
【図６】
0005351233.tif 000007
【図７】
0005351233.tif 000008
【図８】
0005351233.tif 000009
【図９】
0005351233.tif 000010